(57)【要約】【課題】オフィスチェアのキャスター構造を提供する。【解決手段】キャスターのローラーの両外側や内側に弾性を有する座金を設け、座金の設置によりキャスターがオフィスチェアに実装されると、防振効果が得られ、ユーザーにとって、より快適的であり、また、耐用寿命が向上され、また、座金がキャスターのローラーの外側に設置される場合、座金の色を変更することができ、キャスター全体の美観性が向上されて、オフィスチェアの全体外観の視覚効果が向上される。【選択図】図３
0003126131.tif 000002
【実用新案登録請求の範囲】
【請求項１】
主として、主体と回転軸、伝達軸、二つのローラー及び二つの座金が含有され、当該主体の中心に、伝達軸を貫設するための軸孔が設けられ、当該主体の適当な位置の一側に、回転軸を挿設するための垂直孔が設けられ、当該ローラーの外側面に、柔軟材質である弾性を有する座金を収納するための収納槽が形成され、当該座金の大きさが、丁度、ローラーの外側面に設けられる収納槽内に収納されるであり、回転軸が主体の垂直孔内に挿設され、また、伝達軸が当該主体の軸孔に貫設され、当該伝達軸の両端が二つのローラーに結合される、
ことを特徴とするオフィスチェアのキャスター構造。
【請求項２】
当該ローラーの外側面に設けられる座金が、需要に応じて色を変更することができることを特徴とする請求項１に記載のオフィスチェアのキャスター構造。
【請求項３】
当該ローラーの外側面に設けられる収納槽が、内側面に設けられることを特徴とする請求項１に記載のオフィスチェアのキャスター構造。
【考案の詳細な説明】
【技術分野】
【０００１】
本考案は、オフィスチェアに関し、特に、オフィスチェアのキャスター構造に関する。
【背景技術】
【０００２】
図１は、一般の市販のオフィスチェアのキャスター１であり、主として、回転体１０の上面に、結合体１１が結合され、当該回転体１０は、その両側の下方において、ネジ１２により、ローラー１３が螺着され、このようなキャスター１は、ある時期使用されると、スムーズに移動することができなく、また、外観から言うと、美観性がないため、オフィスチェアの全体美観性に悪影響を与え、また、図２は、市販の他のオフィスチェアキャスター２であり、主として、主体２０の軸孔２１に中心軸２３が挿設され、当該中心軸２３の両端が、それぞれ、ローラー２４の中心軸２５内に挿設され、また、その上部に回転軸２２が設けられ、このようなオフィスチェアキャスター２は、ある時期使用されると、上記のキャスター１と同じように、防振効果がないため、ユーザーにとって、不快適であるだけでなく、耐用寿命が良くない問題がある。
【考案の開示】
【考案が解決しようとする課題】
【０００３】
本考案の目的は、弾性を有する座金により、防振の効果が得られ、耐用寿命が向上され、また、座金の色を変更でき、全体の美観性が向上されるオフィスチェアのキャスター構造を提供する。
【課題を解決するための手段】
【０００４】
請求項１の考案は、主として、主体と回転軸、伝達軸、二つのローラー及び二つの座金が含有され、当該主体の中心に、伝達軸を貫設するための軸孔が設けられ、当該主体の適当な位置の一側に、回転軸を挿設するための垂直孔が設けられ、当該ローラーの外側面に、柔軟材質である弾性を有する座金を収納するための収納槽が形成され、当該座金の大きさが、丁度、ローラーの外側面に設けられる収納槽内に収納されるであり、回転軸が主体の垂直孔内に挿設され、また、伝達軸が当該主体の軸孔に貫設され、当該伝達軸の両端が二つのローラーに結合される、ことを特徴とするオフィスチェアのキャスター構造である。
【０００５】
請求項２の考案は、当該ローラーの外側面に設けられる座金が、需要に応じて色を変更することができることを特徴とする請求項１に記載のオフィスチェアのキャスター構造である。
【０００６】
請求項３の考案は、当該ローラーの外側面に設けられる収納槽が、内側面に設けられることを特徴とする請求項１に記載のオフィスチェアのキャスター構造である。
【考案を実施するための最良の形態】
【０００７】
本考案に係わるオフィスチェアキャスター３は、図３乃至５を参照しながら、主として、主体３０と回転軸３１、伝達軸３２、二つのローラー３３及び二つの座金３４が含有され、当該主体３０は、中心に、伝達軸３２を貫設するための軸孔３０１が設けられ、その適当な位置の一側に、回転軸３１を挿設するための垂直孔３０２が設けられ、ローラー３３は、外側面に、柔軟材質である弾性を有する座金３４を収納するための収納槽３３１が形成され、座金３４は、大きさが、丁度、ローラー３３の外側に設けられる収納槽３３１内に収納されるようであり、また、回転軸３１が主体３０の垂直孔３０２内に挿設され、伝達軸３２が当該主体３０の軸孔３０１に貫設され、当該伝達軸３２の両端がそれぞれローラー３３に結合され、そして、二つの座金３４がそれぞれ二つのローラー３３の外側面に設けられる収納槽３３１内に位置付けられると、組立てが完成し、また、当該ローラー３３の外側面に位置付けられる座金３４は、ユーザーの需要や好みに応じて、任意に色を変更でき、キャスター３全体は、当該座金３４の色の変更により、外観の視覚効果が一新され、当該ローラー３３の外側面に設けられる座金３４を収納するための収納槽３３１は、ローラー３３の内側面にも設けられても良く、図６と７を参照しながら、そこに、座金３４が収納されると、他の形式のキャスター４が形成され、また、その防振や耐久性の効果は、外側面に設けられるものと同じである。
【０００８】
図４と６を参照しながら、本考案に係わるオフィスチェアキャスター３や４が組み立てたら、その両外側や両内側面に、弾性座金３４があり、それを、オフィスチェアに実装すると、当該座金３４の設置により、キャスター３全体は、防振の効果が得られ、そして、移動する時のユーザーの視覚効果が向上され、また、当該座金３４の設置により、キャスター３全体の耐用寿命が向上され、また、座金３４がローラー３３の外側面に設置される形式であるキャスター３は、ユーザーの好みにより、任意に座金３４の色を変更でき、キャスター全体の美観性が更に向上される。
【０００９】
本考案によれば、座金３４の設置により、上記の従来のキャスター１、２の欠点が改善され、当該キャスター３は、耐久性や防振快適性が向上され、また、当該外側に位置する座金３４の色を変更することにより、キャスター３全体の美観性が更に向上される。
【図面の簡単な説明】
【００１０】
【図１】従来１の立体図
【図２】従来２の立体分解図
【図３】本考案の立体分解図
【図４】本考案の立体組立て図
【図５】本考案の断面図
【図６】本考案の他の実施例の立体組立て図
【図７】本考案の他の実施例の断面図
【符号の説明】
【００１１】
１          キャスター
１０        回転体
１１        結合体
１２        ネジ
１３        ローラー
２          キャスター
２０        主体
２１        軸孔
２２        回転軸
２３        中心軸
２４        ローラー
２５        中心軸
３          キャスター
３０        主体
３０１      軸孔
３０２      垂直孔
３１        回転軸
３２        伝達軸
３３        ローラー
３３１      収納槽
３４        座金
４          キャスター
【図１】
0003126131.tif 000003
【図２】
0003126131.tif 000004
【図３】
0003126131.tif 000005
【図４】
0003126131.tif 000006
【図５】
0003126131.tif 000007
【図６】
0003126131.tif 000008
【図７】
0003126131.tif 000009